(57)【要約】【課題】シート状の被記録媒体の補充作業や交換作業を容易に行うことが可能なシート収容装置及びこのシート収容装置を備えた画像記録装置を提供すること。【解決手段】給紙カセット７８のメイントレイ２０の上部にカバー部材２３が設けられている。カバー部材２３は、メイントレイ２０の上部に軸支された支持ベース１１０と、支持ベース１１０にスライド支持されるカバー１１１とを有する。メイントレイ２０とカバー部材３４との間にスライドガイド３４が設けられている。スライドガイド３４のスライド部１１９がメイントレイ２０の上部において前後方向へスライド可能に支持されており、このスライド部１１９に回動ガイド１２０が軸支されている。支持ベース１１０のベース本体１１２の裏面に連結具１１７が設けられており、この連結具１１７は、スライドガイド３４が初期位置にあるときに回動ガイド１２０とベース本体１１２とを連結する。【選択図】図４
2011051670.tif 000002
【特許請求の範囲】
【請求項１】
装置本体に対して水平方向に沿って挿抜可能に構成され、シート状の被記録媒体の挿入口が上面に形成されたトレイと、
上記トレイの上部に設けられ、上記装置本体に対する上記トレイの挿抜方向の中央部付近を回動支持点として、上記挿入口を開放する第１姿勢と上記挿入口の少なくとも一部を閉塞する第２姿勢との間で回動可能なカバー部材と、
上記トレイと上記カバー部材との間に設けられ、上記カバー部材の下側に配置される第１位置とこの第１位置から装置本体側へ離間した第２位置との間で移動可能であり、且つ、上記トレイに対して回動可能に構成され、上記第２位置に配置された状態で画像記録済の被記録媒体を搬送するための搬送路の少なくとも一部を形成するガイド部材と、
上記カバー部材の裏面に設けられ、上記ガイド部材が上記第１位置に配置された状態で上記カバー部材と上記ガイド部材とを連結して上記カバー部材の回動動作に追従して上記ガイド部材を回動可能とする連結部材と、を具備する画像記録装置。
【請求項２】
上記連結部材は、上記ガイド部材の端部を引っ掛けて吊り上げ可能な鉤形状に形成されている請求項１に記載の画像記録装置。
【請求項３】
上記ガイド部材は、
上記トレイにおいて上記装置本体に対する挿入向き側の先端部と上記回動支持点との間を移動可能な移動部材と、
上記移動部材に軸支された平板状の回動部材と、を有する請求項１又は２に記載の画像記録装置。
【請求項４】
上記カバー部材の上面は、画像記録済の被記録媒体を保持する保持面を兼ねる請求項１から３のいずれかに記載の画像記録装置。
【発明の詳細な説明】
【技術分野】
【０００１】
本発明は、装置本体に対して挿抜可能に支持されたトレイを有する画像記録装置に関する。
【背景技術】
【０００２】
従来、被記録媒体の両面に画像を記録することが可能な画像記録装置が公知である。例えば、特許文献１には、両面画像記録機能を備えたインクジェット記録方式の画像記録装置が開示されている。特許文献１に記載の画像記録装置では、給紙トレイから送り出された被記録媒体は湾曲状の搬送路（以下「湾曲路」という。）を通って記録部へ搬送されて、記録部によって表面（第１面）に画像が記録される。記録部を通過した被記録媒体は、記録部よりも搬送方向下流側でスイッチバックされた後に、上記給紙トレイに設けられたガイド部材の上面によって案内されつつ再び上記湾曲路に搬送される。そして、被記録媒体は、この湾曲路を通って裏面（第２面）を記録部に対向させるようにして搬送され、その後、記録部によってその裏面に画像が記録される。
【先行技術文献】
【特許文献】
【０００３】
【特許文献１】特開２００８−２４７５３７号公報
【発明の概要】
【発明が解決しようとする課題】
【０００４】
しかしながら、特許文献１に記載の画像記録装置のように、上記ガイド部材が上記給紙トレイに設けられている場合は、装置本体から取り外された給紙トレイに対して被記録媒体を補充する際に、被記録用紙の挿入口となる給紙トレイの上部開口がガイド部材によって塞がっている場合がある。この場合、作業者は、ガイド部材を移動させて、上部開口を確保するという面倒な作業を行わなければならない。また、トレイの上部開口から給紙トレイの内部に塵埃が侵入することを防止するためのカバーが給紙トレイに設けられている場合は、上記ガイド部材だけでなくカバーを移動させなければならない。すなわち、ガイド部材及びカバーの双方が給紙トレイに設けられている場合は、給紙トレイへの被記録媒体の補充作業が極めて煩雑である。
【０００５】
そこで、本発明は上記問題に鑑みてなされたものであり、その目的は、シート状の被記録媒体の補充や交換作業を容易に行うことが可能な画像記録装置を提供することにある。
【課題を解決するための手段】
【０００６】
(1)  本発明は、トレイと、カバー部材と、ガイド部材と、連結部材とを具備する画像記録装置として構成されている。トレイは装置本体に対して水平方向に沿って挿抜可能に構成されている。トレイの上面には、シート状の被記録媒体をトレイに挿入するための挿入口が形成されている。カバー部材は、上記トレイの上部に設けられている。カバー部材は、上記装置本体に対する上記トレイの挿抜方向の中央部付近を回動支持点として、上記挿入口を開放する第１姿勢と上記挿入口の少なくとも一部を閉塞する第２姿勢との間で回動可能である。ガイド部材は、上記トレイと上記カバー部材との間に設けられている。ガイド部材は、上記カバー部材の下側に配置される第１位置とこの第１位置から装置本体側へ離間した第２位置との間で移動可能であり、且つ、上記トレイに対して回動可能に構成されている。このガイド部材は、上記第２位置に配置された状態で画像記録済の被記録媒体を搬送するための搬送路の少なくとも一部を形成する。連結部材は、上記カバー部材の裏面に設けられている。連結部材は、上記ガイド部材が上記第１位置に配置された状態で上記カバー部材と上記ガイド部材とを連結して上記カバー部材の回動動作に追従して上記ガイド部材を回動可能とするものである。
【０００７】
この構成では、ガイド部材が上記第１位置に配置されると、連結部材によってカバー部材とガイド部材とが連結される。具体的にはカバー部材とガイド部材が上下方向に連結される。この状態でカバー部材が第２姿勢から第１姿勢へ回動されると、その回動動作にともなってガイド部材も同じように回動する。これにより、カバー部材及びガイド部材それぞれを個別に移動させることなく、カバー部材を回動させるという１回の作業でトレイの挿入口を開放させることができる。その結果、作業者は、トレイに被記録媒体を容易に補充したり交換したりすることが可能となる。
【０００８】
(2)  上記連結部材は、上記ガイド部材の端部を引っ掛けて吊り上げ可能な鉤形状に形成されている。
【０００９】
これにより、簡易な機構でカバー部材とガイド部材との連結が実現できる。
【００１０】
(3)  上記ガイド部材は、上記トレイにおいて上記装置本体に対する挿入向き側の先端部と上記回動支持点との間を移動可能な移動部材と、上記移動部材に軸支された平板状の回動部材と、を有している。
【００１１】
このような構成において、本発明は好ましく適用される。
【００１２】
(4)  上記カバー部材の上面は、画像記録済の被記録媒体を保持する保持面を兼ねていることが好ましい。
【発明の効果】
【００１３】
本発明によれば、トレイへの被記録媒体の補充作業や交換作業が容易となる。
【図面の簡単な説明】
【００１４】
【図１】図１は、本発明の実施形態の一例である複合機１０の外観斜視図である。
【図２】図２は、プリンタ部１１の内部構造を模式的に示す縦断面図である。
【図３】図３は、排紙路６５Ｂ付近の構成を示す部分拡大断面図である。
【図４】図４は、給紙カセット７８の構成を模式的に示す模式図であり、（Ａ）は縦断面図であり、（Ｂ）は平面図である。
【図５】図５は、給紙カセット７８におけるカバー部材２３の回動状態を模式的に示す縦断面図である。
【図６】図６は、給紙カセット７８の構成を模式的に示す模式図であり、（Ａ）は縦断面図であり、（Ｂ）は平面図である。
【図７】図７は、給紙カセット７８におけるカバー部材２３の回動状態を模式的に示す縦断面図である。
【発明を実施するための形態】
【００１５】
以下、適宜図面を参照して、本発明の好ましい実施形態について説明する。なお、以下に説明される実施形態は本発明の一例にすぎず、本発明の要旨を変更しない範囲で、本発明の実施形態を適宜変更できることは言うまでもない。
【００１６】
［複合機１０の概略］
図１は、本発明の第１実施形態である複合機１０の外観斜視図である。なお、以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。
【００１７】
複合機１０は、高さ（上下方向７の長さ）に対して横幅（左右方向９の長さ）及び奥行き（前後方向８の長さ）が大きい薄型の直方体に概ね形成されている。複合機１０は、主に、下部に設けられたインクジェット記録方式のプリンタ部１１と、上部に設けられたスキャナ部１２とを一体的に備えた多機能装置である。複合機１０は、ファクシミリ機能、プリンタ機能、スキャナ機能、及び、コピー機能などの各種の機能を有している。プリンタ機能としては、記録用紙の表面（第１面）及び裏面（第２面）の両面に画像を記録する両面画像記録機能を有している。なお、プリンタ機能以外の機能は任意であり、例えば、スキャン機能やコピー機能、ファクシミリ機能を有しないプリンタ機能のみを有するプリンタとして本発明の画像記録装置が実施されてもよい。
【００１８】
プリンタ部１１は、正面に開口１３が形成されたケーシング（筐体）１４（本発明の装置本体の一例）を有する。ケーシング１４内にプリンタ部１１の各構成要素が配置されている。開口１３からケーシング１４の内部側へ連続するように収容室が区画されており、この収容室に給紙カセット７８が装着されている。この給紙カセット７８は、開口１３からケーシング１４内に前後方向８（水平方向）に挿抜可能に構成されている。給紙カセット７８は、各種サイズの記録用紙（本発明のシート状の被記録媒体の一例）を収容可能なメイントレイ２０（本発明のトレイの一例）と、メイントレイ２０の上面の前方側を覆うためのカバー部材２３（本発明のカバー部材の一例）と、スライドガイド３４（本発明のガイド部材の一例）とを有する。なお、給紙カセット７８の構成については後段で詳述する。
【００１９】
［プリンタ部１１の構成］
次に、図２を参照しながら、プリンタ部１１の構成について説明する。図２は、プリンタ部１１の内部構造を模式的に示す縦断面図である。
【００２０】
プリンタ部１１は、上述した給紙カセット７８に加えて、給紙カセット７８から記録用紙をピックアップして給紙（給送）する給送部１５と、給送部１５によって給紙された記録用紙にインク滴を吐出して記録用紙に画像を形成するインクジェット記録方式の記録部２４と、経路切換部４１とを備えている。これらの各構成要素がケーシング１４内に設けられている。なお、記録部２４は、インクジェット方式に限られず、電子写真方式、或いは感熱記録方式など、種々の記録方式のものが適用可能である。
【００２１】
［搬送路６５］
プリンタ部１１の内部には、メイントレイ２０の先端（後方側の端部）から記録部２４を経てカバー部材２３の上部に設けられた排紙保持面３０（本発明の保持面の一例）に至る搬送路６５が形成されている。搬送路６５は、メイントレイ２０の先端から記録部２４に至る間に形成された湾曲路６５Ａと、記録部２４から排紙保持面３０に至る間に形成された排紙路６５Ｂとに区分される。
【００２２】
図２に示されるように、湾曲路６５Ａは、メイントレイ２０に設けられた分離傾斜板２２の上端付近から記録部２４に渡って延設された湾曲状の通路である。この湾曲路６５Ａは、所定間隔を隔てて互いに対向する外側ガイド部材１８及び内側ガイド部材１９によって区画されている。外側ガイド部材１８及び内側ガイド部材１９は、プリンタ部１１の内部側を中心とする円弧形状に概ね形成されている。なお、外側ガイド部材１８及び内側ガイド部材１９、更に、後述する上側ガイド部材８２、下側ガイド部材８３、上側傾斜ガイド部材３２、下側傾斜ガイド部材３３は、いずれも、図２の紙面垂直方向（図１の左右方向９）へ延びている。
【００２３】
排紙路６５Ｂは、記録部２４よりも搬送方向の下流側（以下「下流側」と略称する。）に設けられた下側ガイド部材８２と上側ガイド部材８３とによって区画されている。ここで、搬送方向とは、記録用紙が搬送路６５及び後述する反転搬送路６７を搬送される向き（図２において矢印付きの二点鎖線で示される向き）を指す。
【００２４】
図３は、排紙路６５Ｂ付近の構成を示す部分拡大断面図である。図３に示されるように、下側ガイド部材８２は、後述する第２搬送ローラ６２及び拍車ローラ６３のニップ位置から前方側（図３の紙面右側）へ水平に延出されている。排紙路６５Ｂは、第２搬送ローラ６２によって搬送された画像記録済の記録用紙の下面を支持しつつ、下流側へ案内する。下側ガイド部材８２の下流側端部よりも下流側に分岐口３６が形成されている。両面画像記録の際は、排紙路６５Ｂを搬送された記録用紙は、分岐口３６よりも下流側でスイッチバックされた後に、分岐口３６から下方へ向けて搬送される。
【００２５】
下側ガイド部材８２には、前後方向８に長い細幅の凹部８５が形成されている。この凹部８５は、下側ガイド部材８２の下流側端部に形成されている。凹部８５は、前後方向８に長い細幅形状に形成されおり、その下流側は分岐口３６に開放されている。凹部８５のサイズ及び位置は、後述する補助ローラ４７が凹部８５の内部に没入可能に設計されている。
【００２６】
上側ガイド部材８３は、下側ガイド部材８２の上方に配置されている。上側ガイド部材８３と下側ガイド部材８２とは、記録用紙が通過可能な所定間隔を隔てて互いに対向するように配置されている。上側ガイド部材８３は、分岐口３６を超えて、排紙保持面３０の上方まで延出されている。
【００２７】
［反転搬送路６７］
図２に示されるように、プリンタ部１１の内部には、反転搬送路６７が形成されている。反転搬送路６７は、分岐口３６で排紙路６５Ｂから分岐され、給紙カセット７８とその上方に配置された記録部２４との間を通って、記録部２４よりも搬送方向の上流側（以下「上流側」と略称する。）の合流部に接続されている。なお、合流部は、湾曲路６５Ａの始端（上流側の端部）と反転搬送路６７の終端（下流側の端部）とが合流する部分である。
【００２８】
反転搬送路６７は、分岐口３６から後方斜め下向きに傾斜する傾斜面を有する上側傾斜ガイド部材３２と、下側傾斜ガイド部材３３とによって区画されている。本実施形態では、上側傾斜ガイド部材３２と下側傾斜ガイド部材３３とによって、反転搬送路６７の一部、詳細には、分岐口３６側の傾斜路６７Ａが区画されている。上側傾斜ガイド部材３２と下側ガイド部材８２とは一体に形成されている。ガイド部材３２，３３は、記録用紙が通過可能な所定間隔を隔てて互いに対向するように配置されている。上側傾斜ガイド部材３２は，下側傾斜ガイド部材３３よりも上方に配置されている。これらのガイド部材３２，３３は、分岐口３６から下方へ延出されており、より詳細には、後方斜め下向きへ延出されている。
【００２９】
また、反転搬送路６７は、給紙カセット７８に設けられた後述のスライドガイド３４によっても区画される。図２において破線で示される案内位置にスライドガイド３４が配置されたときに、スライドガイド３４の上面によって、反転搬送路６７の一部、詳細には、湾曲路６５Ａ側の直線状の直線路６７Ｂが区画される。スライドガイド３４については後述する。
【００３０】
このように搬送路６５及び反転搬送路６７が形成されているため、給送部１５によってメイントレイ２０から給紙された記録用紙は、湾曲路６５Ａを通って、記録部２４へ搬送される。この搬送過程において、記録用紙は、外側ガイド部材１８及び内側ガイド部材１９によって、給送部１５の給紙ローラ２５が当接した面とは反対の面が記録部２４と対向するように反転される。記録部２４を通過した記録用紙は、排紙路６５Ｂを通って排紙保持面３０へ搬送されるか、或いは、経路切換部４１によって搬送経路が切り換えられて、反転搬送路６７を通って再び記録部２４へ搬送される。なお、経路切換部４１については後述する。
【００３１】
［記録部２４］
図２に示されるように、記録部２４は、給紙カセット７８の上方に配置されている。記録部２４は、図２の紙面垂直方向（主走査方向）に延出されたガイドレール（不図示）に沿って往復動するように構成されている。記録部２４の下方にプラテン４２が設けられている。プラテン４２は、記録部２４によって画像記録が行われる際に、記録用紙を水平に支持するものである。記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００３２】
湾曲路６５Ａの終端と記録部２４との間、つまり、湾曲路６５Ａにおける下流側の端部と記録部２４との間には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、湾曲路６５Ａを搬送してきた記録用紙を挟持してプラテン４２上へ送る。
【００３３】
また、記録部２４と排紙路６５Ｂの始端との間、つまり、記録部２４と排紙路６５Ｂにおける上流側の端部との間には、第２搬送ローラ６２及び拍車ローラ６３が設けられている。これらは対をなしている。拍車ローラ６３は、第２搬送ローラ６２の上方に配置されており、自重若しくはバネなどによって第２搬送ローラ６２のローラ面に圧接されている。第２搬送ローラ６２及び拍車ローラ６３は、記録済みの記録用紙を挟持してさらに下流側（排紙保持面３０側）へ搬送する。
【００３４】
第１搬送ローラ６０及び第２搬送ローラ６２は、搬送用モータ（不図示）から駆動伝達機構（不図示）を介して回転駆動力が伝達されて回転される。第１搬送ローラ６０及び第２搬送ローラ６２は、画像記録時に間欠駆動される。そのため、記録用紙は、所定の改行幅で送られながら画像記録がなされる。本実施形態では、後述する第３搬送ローラ４５を正回転方向又は逆回転方向へ回転させる回転駆動力も上記搬送用モータから供給される。そのため、第１搬送ローラ６０及び第２搬送ローラ６２への駆動伝達機構の一例として、遊星ギヤなどを有し、上記搬送用モータが正回転方向又は逆回転方向のいずれに回転されても、記録用紙を一方向（図２の右側）へ搬送させるべく、第１搬送ローラ６０及び第２搬送ローラ６２を一回転方向へ回転させる機構が考えられる。なお、第１搬送ローラ６０及び第２搬送ローラ６２の駆動源と第３搬送ローラ４５の駆動源とが別々に設けられている場合は、上記駆動伝達機構は、上記遊星ギヤを含む構成に限られない。
【００３５】
［給送部１５］
給送部１５は、記録部２４と給紙カセット７８との間に設けられている。給送部１５は、給紙カセット７８に収容された記録用紙を湾曲路６５Ａへ向けて搬送するためのものであり、給紙ローラ２５と、給紙アーム２６と、駆動伝達機構２７とを備えている。給紙ローラ２５は、給紙カセット７８のメイントレイ２０に収容された記録用紙をピックアップして湾曲路６５Ａへ給紙するものであり、給紙アーム２６の先端に回転自在に軸支されている。給紙ローラ２５は、駆動源の一例である給紙用モータ（不図示）の回転力が駆動伝達機構２７を介して伝達されると回転駆動される。なお、駆動伝達機構２７は、給紙アーム２６に軸支されており、概ね給紙アーム２６の延出方向に沿って直線状に並ぶ複数のギヤで構成されている。
【００３６】
記録部２４と給紙カセット７８との間に基軸２８が設けられている。給紙アーム２６は、その基端部が基軸２８に支持されており、基軸２８を回動中心軸として回転可能に構成されている。このため、給紙アーム２６は、メイントレイ２０に対して接離可能に上下動することができる。また、給紙アーム２６は、自重により又はバネ等の弾性部材による弾性力により、図２の矢印２９の方向へ回動付勢されている。このため、給送ローラ２５は、例えばメイントレイ２０に収容された記録用紙の上面に圧接可能である。また、スライドガイド３４が案内位置（図２の破線で示される位置）に配置されているときは、給送ローラ２５は、スライドガイド３４に載置された記録用紙の上面に圧接可能である。給紙アーム２６は、給紙カセット７８がプリンタ部１１に対して挿入される際に、給紙カセット７８の後端部（例えば、分離傾斜板２２）に押圧されることによって、上方へ押し上げられるように構成されている。また、スライドガイド３４が図２に示される初期位置から上記案内位置へスライド移動する際に、スライドガイド３４の後端部に押圧されることによって、上方へ押し上げられるように構成されている。
【００３７】
［経路切換部４１］
図３を参照しながら、経路切換部４１について説明する。経路切換部４１は、排紙路６５Ｂにおける分岐口３６、すなわち排紙路６５Ｂと反転搬送路６７との接続部分付近に配置されている。経路切換部４１は、図３に示されるように、第３搬送ローラ４５と、拍車ローラ４６と、補助ローラ４７及び補助ローラ４８を有するフラップ４９とにより構成されている。
【００３８】
第３搬送ローラ４５は、記録部２４よりも下流側であって、更に下側ガイド部材８２よりも下流側に設けられている。第３搬送ローラ４５と下側ガイド部材８２との間に分岐口３６が形成されている。第３搬送ローラ４５は、プリンタ部１１のフレームなどに回転可能に支持されている。拍車ローラ４６は、第３搬送ローラ４５の上方に配置されており、自重若しくはバネなどによって第３搬送ローラ４５のローラ面に圧接されている。この拍車ローラ４６は、上側ガイド部材８３の下流側端部に回転可能の支持されている。第３搬送ローラ４５は、搬送用モータ（不図示）から正逆回転方向の駆動力が伝達されて、正回転方向又は逆回転方向に回転駆動される。例えば、片面記録が行われる場合は、第３搬送ローラ４５は正回転方向へ回転される。これにより、記録用紙は第３搬送ローラ４５及び拍車ローラ４６に挟持されて下流側へ搬送され、排紙保持面３０に排紙される。一方、両面記録が行われる場合は、第３搬送ローラ４５及び拍車ローラ４６が記録用紙の後端部を挟持した状態で、第３搬送ローラ４５の回転方向が正回転方向から逆回転方向へ切り換えられる。
【００３９】
第３搬送ローラ４５及び拍車ローラ４６は、第２搬送ローラ６２及び拍車ローラ６３から送られた記録用紙を挟持するものである。第３搬送ローラ４５及び拍車ローラ４６のニップ部に記録用紙が進入すると、記録用紙は第３搬送ローラ４５及び拍車ローラ４６によって挟持されつつ、第３搬送ローラ４５の回転方向に対応する方向（排紙保持面３０側、又は、反転搬送路６７側）へ搬送される。つまり、第３搬送ローラ４５及び拍車ローラ４６は、記録用紙を排紙路６５Ｂに沿ってさらに下流側（排紙保持面３０側）へ搬送可能であるとともに、記録用紙を反転搬送路６７へ搬送可能である。
【００４０】
上側ガイド部材８３に、図３の紙面垂直方向（図１の左右方向９）へ延びる支軸８７が設けられている。支軸８７は、分岐口３６よりも上流側に設けられている。支軸８７にフラップ４９における上流側の基端部４９Ａが軸支されている。フラップ４９は、支軸８７から概ね下流側へ延出されている。フラップ４９における延出端部４９Ｂは、分岐口３６の上方、詳細には、分岐口３６の中央３６Ａを超えて第３搬送ローラ４５に近接した位置に達している。
【００４１】
フラップ４９の基端部４９Ａ側には、その延出方向に隔てられた補助ローラ４７及び補助ローラ４８が軸支されている。補助ローラ４７は、フラップ４９の基端部４９Ａ側に軸支されている。補助ローラ４８は、フラップ４９の延出端部４９Ｂに軸支されている。これらの補助ローラ４７，４８のローラ面は、記録用紙の記録面に当接されるので、拍車ローラ６３及び拍車ローラ４６と同様に拍車状に形成されている。
【００４２】
フラップ４９は、下側ガイド部材８２よりも上方に位置する排出姿勢（図３（Ｂ）に示される姿勢）と、延出端部４９Ｂが分岐口３６よりも下方へ進入する反転姿勢（図３（Ａ）に示される姿勢）との間で回動する。なお、本実施形態では、上側ガイド部材８３には、フラップ４９が没入可能な開口８９が形成されており、フラップ４９は、上記排出姿勢にあるときに開口８９に没入して、排紙路６５Ｂから退避する。また、上記反転姿勢にあるときは、フラップ４９は開口８９から露出されて、補助ローラ４８が下側傾斜ガイド部材３３に当接する。また、補助ローラ４７が下側ガイド部材８２の凹部８５に没入されることにより、補助ローラ４７が下側ガイド部材８２の支持面８２Ｂよりも下方に退避する。
【００４３】
［給紙カセット７８］
次に、図４から図７を参照して、給紙カセット７８について詳細に説明する。なお、図４（Ｂ）及び図６（Ｂ）では、給紙カセット７８が左右対称に形成されているため、左右方向９の中央から左側の部分の図示が省略されている。
【００４４】
給紙カセット７８は、給送部１５の下方に設けられている。給紙カセット７８のメイントレイ２０は、プリンタ部１１の底側に配置されている。メイントレイ２０は、Ａ３サイズ（２９７ｍｍ×４２０ｍｍ）、Ｌｅｔｔｅｒサイズ（２１６ｍｍ×２７４ｍｍ）、リーガルサイズ（２１６ｍｍ×３５６ｍｍ）、Ａ４サイズ（２１０ｍｍ×２９７ｍｍ）、及びこれらのサイズよりも小さい葉書サイズやＬ判サイズ、名刺サイズの記録用紙を収容可能である。
【００４５】
［メイントレイ］
図４に示されるように、メイントレイ２０は、記録用紙が載置される底板５４と、底板５４の左右方向９の両端部それぞれから立設された側板５５と、底板５４の後方側の端部に立設された分離傾斜板２２とを有している。このメイントレイ２０は、上面が開放された概ね矩形箱状に構成されている。分離傾斜板２２は、記録用紙を円滑に給紙可能なように後方側へ傾倒している。分離傾斜板２２の内面２２Ａには図示しない複数の歯が突出している。そのため、仮に複数の記録用紙が重なった状態で給紙されても、分離傾斜板２２の内面２２Ａに記録用紙の先端が当接したときに上記歯によって最上位の記録用紙だけが分離されて湾曲路６５Ａへ給紙される。
【００４６】
図４に示されるように、側板５５には回動軸１３１が設けられている。回動軸１３１は、前後方向８の中央付近に設けられている。詳細には、回動軸１３１は、前後方向８の中央よりも少し後方側に設けられている。回動軸１３１は、側板５５の上端部から内側へ突出している。この回動軸１３１は、後述するカバー部材２３をメイントレイ２０に対して回動可能に支持するものである。
【００４７】
［カバー部材２３］
図４に示されるように、メイントレイ２０の上部にカバー部材２３が設けられている。カバー部材２３は、メイントレイ２０の側板５５の上端で支持される支持ベース１１０と、支持ベース１１０に支持されるカバー１１１とを有する。
【００４８】
［支持ベース１１０］
支持ベース１１０は、カバー１１１が支持されるベース本体１１２と、支持ベース１１０をメイントレイ２０の上部に取り付けるための一対のアーム１１３とを有する。ベース本体１１２は、メイントレイ２０の左右方向９の寸法とほぼ同じ寸法を有する板状の部材である。
【００４９】
アーム１１３は、ベース本体１１２の後端部１１２Ａから下方に突出している。アーム１１３は、後端部１１２Ａの左右方向９の両端部それぞれに設けられている。アーム１１３の下端には、軸受け１１５が設けられている。軸受け１１５は、アーム１１３の下端側が開放された逆Ｕ字状の溝である。メイントレイ２０の上部に支持ベース１１０が取り付けられる際に、上述した回動軸１３１が軸受け１１５に挿入される。これにより、カバー部材２３は、回動支持点である回動軸１３１を中心にして、メイントレイ２０に対して回動可能に支持される。言い換えると、回動軸１３１及び軸受け１１５によって、カバー部材２３がメイントレイ２０に回動可能に支持される。カバー部材２３は、上方に開放されたメイントレイ２０の上面のうち回動軸１３１よりも前方側に形成された前方開口３１（本発明の挿入口の一例）を開放する開姿勢（図５参照、本発明の第１姿勢に相当）と、前方開口３１を閉塞する閉姿勢（図４参照、本発明の第２姿勢に相当）との間で回動可能である。このように、本実施形態では、メイントレイ２０において前後方向８の概ね中央に設けられた回動軸１３１を中心にカバー部材２３が回動するため、プリンタ部１１から給紙カセット７８が取り外された状態でカバー部材２３を上方へ回動させる際に、メイントレイ２０の後方端部を回動支点とする従来の回動機構に較べて、回動負荷が軽い。したがって、作業者は、カバー部材２３を容易に回動させることができる。つまり、カバー部材２３は、回動時の操作性がよい。
【００５０】
［連結具１１７］
ベース本体１１２の裏面には、断面が鉤形状に形成された連結具１１７（本発明の連結部材の一例）が設けられている。この連結具１１７は、後述するスライドガイド３４とベース本体１１２とを連結するためのものである。本実施形態では、連結具１１７は、ベース本体１１２の裏面の前方端付近における左右方向９の中央に配置されている。このような連結具１１７が設けられているため、スライドガイド３４が図２に示される初期位置に配置されたときに、連結具１１７はスライドガイド３４の前方端（回動ガイド１２０の前方端１２０Ｂ）を引っ掛けて吊り上げるようにしてベース本体１１２とスライドガイド３４とを連結する。
【００５１】
［カバー１１１］
カバー１１１は、記録部２４から排出された画像記録済みの記録用紙を保持する役割と、メイントレイ２０の上面の前方開口３１を覆う役割とを有する。カバー１１１の上部には排紙保持面３０が設けられており、画像記録済みの記録用紙が排紙路６５Ｂから外部に排出されると、当該記録用紙は排紙保持面３０に保持される。また、カバー部材２３が上記閉姿勢にあるときにメイントレイ２０の上面の前方開口３１が覆われるため、メイントレイ２０へのゴミや埃の侵入が防止される。このカバー１１１は、ベース本体１１２の左右方向９の幅と概ね同じ寸法に形成されている。
【００５２】
カバー１１１は、前後方向８へスライド可能なように、支持ベース１１０のベース本体１１２に支持されている。ベース本体１１２に対するカバー１１１のスライド支持機構としては、例えば、ベース本体１１２の上面に設けられたレール溝（不図示）と、カバー１１１の裏面に設けられたレール（不図示）とから構成される周知のスライド支持機構が考えられる。なお、このスライド支持機構についての説明は省略する。
【００５３】
本実施形態では、カバー１１１がベース本体１１２から前方へ延ばされることにより、カバー部材２３の上面が前方へ拡張される。このとき、カバー１１１によって隠されていたベース本体１１２の上面が後方側から次第に露出される。この状態において、ベース本体１１２の上面も排紙保持面３０と同様に画像記録済みの記録用紙を保持する役割を担う。
【００５４】
［スライドガイド３４］
スライドガイド３４は、メイントレイ２０とカバー部材２３との間に設けられている。このスライドガイド３４は、メイントレイ２０の上部で前後方向８にスライド可能に支持されている。
【００５５】
スライドガイド３４は、メイントレイ２０の上部でスライド支持されるスライド部１１９（本発明の移動部材の一例）と、スライド部１１９の上側に配置された平板状の回動ガイド１２０（本発明の回動部材の一例）とを有する。メイントレイ２０に対するスライド部１１９のスライド支持機構としては、例えば、メイントレイ２０の側板５５の上端に設けられたレール（不図示）と、スライド部１１９に設けられたレール溝（不図示）とから構成される周知のスライド支持機構が考えられる。なお、このスライド支持機構についての説明は省略する。
【００５６】
本実施形態では、スライド部１１９がメイントレイ２０の上部で支持されることによって、スライドガイド３４は、図４（Ａ）に示されるようにカバー部材２３の下側に配置される初期位置（本発明の第１位置に相当）と、図６（Ａ）に示されるように上記初期位置から後方へ離間した案内位置（本発明の第２位置に相当）との間でスライド移動可能である。なお、案内位置は、スライドガイド３４の後端部３４Ａが分離傾斜板２２に近接し、且つ、スライドガイド３４の前方側の端部である回動ガイド１２０の前方端１２０Ｂがカバー部材２３の支持ベース１１０から後方へ完全に抜け出た位置である。スライドガイド３４が案内位置に配置された状態で、前方端１２０Ｂとベース本体１１２の後端部１１２Ａとが前後方向８へ所定距離だけ隔てられる。当該案内位置において、スライドガイド３４は反転搬送路６７を搬送されてきた画像記録済の記録用紙を湾曲路６５Ａへ案内する。上記初期位置は、給紙ローラ２５をメイントレイ２０側へ降下させることが可能な距離だけ、スライドガイド３４の後端部３４Ａが分離傾斜板２２から前方側へ離間する位置である。
【００５７】
回動ガイド１２０は、スライド部１１９に対して回動可能に支持されている。具体的には、スライド部１１９の後端部の左右方向９の両端部それぞれに回動軸１２１が設けられており、回動ガイド１２０の後端部がこの回動軸１２１に軸支されている。これにより、回動ガイド１２０は、スライド部１１９に対して回動可能となる。
【００５８】
本実施形態では、図示しない搬送用モータから駆動伝達機構を介して駆動力がスライドガイド３４に伝達される。これにより、スライドガイド３４は、前後方向８のうち、駆動力が付与された向きへスライド移動する。例えば、反転搬送路６７へ記録用紙が搬送される際には、初期位置にあるスライドガイド３４に後方への駆動力が伝達されて、案内位置まで移動される。そして、反転搬送路６７から湾曲路６５Ａへ記録用紙が案内されると、前方への駆動力が伝達されて、案内位置から初期位置まで移動される。
【００５９】
スライドガイド３４が上記初期位置（図４参照）に配置された状態では、メイントレイ２０の後方側の上面が開放される。このとき、給送ローラ２５がスライドガイド３４で支持されなくなり、メイントレイ２０側へ下降して、メイントレイ２０に収容された記録用紙に当接する。この状態で、給送ローラ２５が回転されると、メイントレイ２０に収容された記録用紙が湾曲路６５Ａへ向けて給紙される。
【００６０】
一方、スライドガイド３４が上記初期位置から上記案内位置（図６参照）へスライドされると、スライドガイド３４の後端部３４Ａが給紙アーム２６に接触して、給紙アーム２６を上方へ押し上げる。これにより、給送ローラ２５が、スライドガイド３４上に配置される。給送ローラ２５がスライドガイド３４上に配置されると、給送ローラ２５は反転搬送路６７を通ってスライドガイド３４の上面に案内された記録用紙の上面に当接する。この状態で、給送ローラ２５が回転されると、スライドガイド３４の上面で支持された記録用紙が湾曲路６５Ａへ向けて給紙される。
【００６１】
［実施形態の作用・効果］
上述したように、本実施形態では、スライドガイド３４が上記初期位置に配置されたときに、回動ガイド１２０の前方端１２０Ｂが連結具１１７によって上方へ引っ掛けられる。これにより、図４において、カバー部材２３のベース本体１１２と回動ガイド１２０とが上下方向７に連結される。この状態で、給紙カセット７８がプリンタ部１１のケーシング１４から抜き出されて、給紙カセット７８に対して記録用紙の補充又は交換が行われる場合に、図５に示されるように、カバー部材２３の前方端が作業者によって持ち上げられると、連結具１１７によって連結された回動ガイド１２０もカバー部材２３の回動動作に追従するように上方へ回動する。そのため、カバー部材２３及び回動ガイドそれぞれを別々に回動させる必要がなく、カバー部材２３を持ち上げて回動させるという１回の動作でメイントレイ２０の前方側の前方開口３１を開放させることができる。したがって、作業者は、記録用紙の補充作業又は交換作業を容易に行うことができる。
【００６２】
なお、両面記録時に記録用紙が直線路６７Ｂを搬送されている間に直線路６７Ｂで用紙詰まりが発生した場合は、スライドガイド３４が上記案内位置に配置された状態でプリンタ部１１の動作が中断する。また、用紙詰まりが生じていない場合でも、スライドガイド３４の移動不良などに起因して、スライドガイド３４が上記案内位置に配置された状態でプリンタ部１１の動作が中断する場合も生じうる。この場合、詰まった用紙を除去するため、或いはスライドガイド３４の移動不良を解除するために、作業者は、スライドガイド３４が上記案内位置に配置された状態の給紙カセット７８をプリンタ部１１から取り外す必要がある。このような場合であっても、スライドガイド３４が上記案内位置に配置されているときは、回動ガイド１２０の前方端１２０Ｂが連結具１１７から外れている。つまり、回動ガイド１２０は、連結具１１７による連結から解除されている。そのため、この状態で給紙カセット７８がプリンタ部１１から抜き出されてカバー部材２３の前方端が作業者によって持ち上げられたとしても、図７に示されるように、カバー部材３４だけが上方へ回動し、スライドガイド３４は案内位置に配置された状態を維持する。
【００６３】
また、スライドガイド３４が上記案内位置に配置された状態では、上述したように、回動ガイド１２０の前方端１２０Ｂがカバー部材２３の支持ベース１１０（具体的にはベース本体１１２の後端部１１２Ａ）から後方へ所定距離だけ隔てられた位置にある。そのため、スライドガイド３４が上記案内位置に配置された状態でカバー部材３４が図７に示されるように上方へ回動されたとしても、ベース本体１１２の後端部１１２Ａが回動ガイド１２０の前方端１２０Ｂに干渉することはない。つまり、上記所定距離は、後端部１１２Ａと前方端１２０Ｂとが干渉しない距離に設定されている。このため、スライドガイド３４が上記案内位置に配置された状態でカバー部材３４が上方へ回動されても、スライドガイド３４やカバー部材２３は損傷しない。
【００６４】
なお、上述の実施形態では、ベース本体１１２の裏面における左右方向９の中央に連結具１１７が配置されているが、連結具１１７はこのような位置に限られない。例えば、ベース本体１１２の左右方向７の両端部それぞれに設けられていてもよい。この場合、連結具１１７は、回動ガイド１２０の左右方向７の両端部を引っ掛けることが可能な向きに配置される。また、上述の実施形態では、連結具１１７として鉤状のものが採用されているが、連結具１１７は、スライドガイド３４が初期位置に配置されたときに、ベース本体１１２と回動ガイド１２０とを連結可能なものであればいかなる形状に形成されていても、いかなる手段で構成されていてもかまわない。また、上述の実施形態では、図４に示されるように、カバー部材２３が前方開口３１の全域を覆う構成について説明したが、例えば、カバー部材２３が前方開口３１の一部、例えば前方開口３１のうち前方側の半分、或いは前方開口３１のうち左側半分を覆うように構成されたものであっても、本発明は適用可能である。
【符号の説明】
【００６５】
１０・・・複合機
１１・・・プリンタ部
２０・・・メイントレイ
２３・・・カバー部材
２４・・・記録部
３０・・・排紙保持面
３４・・・スライドガイド
６５・・・搬送路
６７・・・反転搬送路
７８・・・給紙カセット
１１０・・・支持ベース
１１１・・・カバー
１１２・・・ベース本体
１１３・・・アーム
１１５・・・軸受け
１１７・・・連結具
１１９・・・スライド部
１２０・・・回動ガイド
１２１・・・回動軸
【図１】
2011051670.tif 000003
【図２】
2011051670.tif 000004
【図３】
2011051670.tif 000005
【図４】
2011051670.tif 000006
【図５】
2011051670.tif 000007
【図６】
2011051670.tif 000008
【図７】
2011051670.tif 000009